(57)【要約】【課題】サッシに取り付けたシャッター１８を利用することにより、特に夏に熱い空気を冷やして室内に取り込む。【解決手段】建物のサッシ枠８の上部に金属製のスラット２１を備えたシャッター１８を収納するシャッターボックス１２ｂを配置し、上記建物の壁部１にシャッターボックス１２ｂと室内とを連通する連通口２３を形成し、連通口２３の室内側に吸気ファン２４を取り付け、シャッター１８と障子１０とが閉じ状態のとき、上記吸気ファン２４により外気を上記シャッター１８と障子１０との間からシャッターボックス１２ｂと連通口２３を通して室内に取り込む。【選択図】図１
2009084924.tif 000002
【特許請求の範囲】
【請求項１】
建物のサッシ枠の上部に金属製のスラットを備えたシャッターを収納するシャッターボックスを配置し、上記建物の壁部にシャッターボックスと室内とを連通する連通口を形成し、連通口の室内側に吸気ファンを取り付け、シャッターと障子とが閉じ状態のとき、上記吸気ファンにより外気を上記シャッターと障子との間からシャッターボックスと連通口を通して室内に取り込むことを特徴とする建物の吸気構造。
【請求項２】
上記シャッターボックスが上記サッシ枠とは別体に形成されていることを特徴とする、請求項１に記載の建物の吸気構造。
【請求項３】
上記シャッターボックスが上記サッシ枠と一体に形成されていることを特徴とする、請求項１に記載の建物の吸気構造。
【発明の詳細な説明】
【技術分野】
【０００１】
本発明は、窓の屋外側に配置されるシャッターを利用して外気を冷却することにより室内に取り込む建物の吸気構造に関するものである。
【背景技術】
【０００２】
最近、建築材料の機能や施工技術が向上し、密閉性がよくなり、障子を閉めると、室内の空気は大気と遮断される。このため、冬は暖房装置により暖めた室内の暖気が外に逃げず、また夏は冷房装置により低温となった室内空気が外に逃げないので、暖冷房の効率が良くなった。ところが、その半面、厨房でガスを使ったり、暖房のために石油やガスのストーブを使用したときは、不完全燃焼による一酸化炭素が空気中に拡散することになり、これが少しずつ増えていくと、非常に危険な状態となる。そのほか、室内のダニや雑菌、埃などが空気中にいつまでも滞留するのも健康上問題である。
【０００３】
そこで、特許文献１、２に示されるように、現在は建築基準法によって住宅内の空気は２４時間換気するために換気装置を設置することが義務づけられており、例えば居間などから室内に取り込まれた空気は浴室の換気装置から大気に放出されるようになっている。
【特許文献１】特開２００４−６１０６８
【特許文献２】特開２００６−３１７０５８
【発明の開示】
【発明が解決しようとする課題】
【０００４】
しかしながら、換気は生命の安全や健康の上から重要なことではあるが、換気によって夏に室内の冷気を室外に放出し、その代わりに熱い外気を室内に取り入れ、また冬に室内の暖気を室外に放出し、その代わりに冷たい外気を室内に取り入れるのは、エネルギーを無駄に消費するという問題があることは否めない。
【０００５】
本発明は上記問題を解消し、サッシに取り付けたシャッターを利用することにより、特に夏に熱い空気を冷やして室内に取り込むことができる建物の吸気構造を提供することをその課題とする。
【課題を解決するための手段】
【０００６】
前記課題を解決するため、請求項１に係る発明は、建物のサッシ枠の上部に金属製のスラットを備えたシャッターを収納するシャッターボックスを配置し、上記建物の壁部にシャッターボックスと室内とを連通する連通口を形成し、連通口の室内側に吸気ファンを取り付け、シャッターと障子とが閉じ状態のとき、上記吸気ファンにより外気を上記シャッターと障子との間からシャッターボックスと連通口を通して室内に取り込むことを特徴とする。
【０００７】
請求項２に係る発明は、請求項１において、上記シャッターボックスが上記サッシ枠とは別体に形成されていることを特徴とする。
【０００８】
請求項３に係る発明は、請求項１において、上記シャッターボックスが上記サッシ枠と一体に形成されていることを特徴とする。
【発明の効果】
【０００９】
請求項１に係る発明によれば、シャッターボックスと室内とを連通する連通口の室内側に吸気ファンを取り付けた構成で、シャッターと障子とが閉じ状態のとき、上記吸気ファンにより外気を上記シャッターと障子との間からシャッターボックスと連通口を通して室内に取り込む構成であるから、シャッターと障子との間の空間部に入り込んだ外気は、シャッターの金属製スラットやシャッターボックスに接触するが、該スラットやシャッターボックスは、夜間は放射冷却によって金属製のスラットも外気温よりも低い温度になっている。したがって、上記シャッターと障子との間の空間部に入り込んだ外気はスラットに接触して冷やされ、シャッターボックスの内部の空間部でさらに冷やされて連通口を通って室内に取り込まれることになる。したがって、冷却装置によって冷却しなくても、温度が低くなった外気を室内に供給することができる。
【００１０】
請求項２に係る発明によれば、シャッターボックスが上記サッシ枠とは別体に形成されているので、既設のサッシ枠にシャッターを後付けしたときに、同時に請求項１に係る吸気構造にすることができる。
【００１１】
請求項３に係る発明によれば、シャッターボックスとサッシ枠とは一体に形成されているから、壁部に連通口を形成し、その室内側に吸気ファンを取り付けること以外に特別の工事を必要としない。
【発明を実施するための最良の形態】
【００１２】
図１は建物のサッシ部分の縦断面図であり、図２はその横断面図である。これらの図において符号１は壁部を示す。２は内装材、３は外装材である。壁部１には開口部４が形成され、開口部４にはサッシ上枠５とサッシ下枠６と左右のサッシ縦枠７とからなるサッシ枠８が取り付けられている。サッシ枠８は半外付け納まりで、外周に設けられた取付フィン９を開口部４の周縁材に木ねじで止着することにより固定されている。また、サッシ枠８の内側には障子１０と網戸１１が摺動自在に配置されている。
【００１３】
次に、上記サッシ枠８の屋外側にはサッシ枠８とは別体に窓シャッター１２が取り付けられている。窓シャッター１２は、シャッター上枠１３とシャッター下枠１４とシャッター縦枠１５とを方形に枠組みしてなるシャッター枠１２ａの上部にシャッターボックス１２ｂを一体的に取り付けたもので、シャッター枠１２ａとシャッターボックス１２の基部外周には取付フィン１６が形成されている。窓シャッター１２は、取付フィン１６をサッシ枠８の周囲の壁部１に木ネジにより止着することにより固定されている。
【００１４】
シャッターボックス１２ｂの内部にはシャッターの巻き取り軸１７が設けられ、巻き取り軸１７にはシャッター１８が巻き取られて収納されている。また、シャッター枠１２ａのシャッター縦枠１５にはシャッター１８の案内レール２０が形成され、シャッター１８を構成する金属製スラット２１が摺動可能となっている。
【００１５】
なお、シャッター下枠１４には雨水を排水するための排水孔２２が形成されている。また、シャッター上枠１３は壁部１から水平に突出し、シャッター１８の手前まで延びている。したがって、シャッター上枠１３の先端とシャッターボックス１２の前板２５との間にはシャッター１８が通る程度の隙間２６が形成されている。
【００１６】
次に、上記建物の壁部１には、シャッターボックス１２ｂと室内とを連通する連通口２３が形成されている。そして、連通口２３の室内側には吸気ファン２４が取り付けられている。これにより、シャッターボックス１２ｂの内部にシャッター１８が収納されているときは、吸気ファン２４を回転作動させてもシャッター１８が連通口２３を塞ぐような状態になるので、あまり吸気効率はよくないが、シャッター１８が下りているときは、シャッターボックス１２ｂの内部空間は開放されるので、吸気ファン２４による吸気効率は十分に高くなる。
【００１７】
したがって、上記吸気構造によれば、夏の夜などにサッシ枠８の障子１０を閉じ、シャッター１８を下ろして閉じ状態にしたとき、上記吸気ファン２４を回転させると、連通口２３内の空気が室内側に送られるから、障子１０とシャッター１８と障子１０との間の空間部Ｓとシャッターボックス１２ｂ内の空間部とが負圧になり、これらの空間部にシャッター１８の上下のスラット２１間の隙間やシャッター下枠１４の排水孔２２などから外気が入り込む。
【００１８】
そして、シャッター１８と障子１０との間の空間部Ｓに入り込んだ外気は、シャッター１８のスラット２１に接触するが、夜間は放射冷却によって地表面が熱を赤外線として放射し冷えていくので、金属製のスラット２１も外気温よりも低い温度になっている。シャッターボックス１２ｂも金属製であるから、シャッターボックス１２ｂ内の空気も冷やされる。したがって、上記シャッター１８と障子１０との間の空間部に入り込んだ外気はスラット２１に接触して冷やされ、シャッターボックス１２ｂに接触してさらに冷やされてから連通口２３を通って室内に取り込まれることになる。
【００１９】
なお、シャッター１８と障子１０との間の空間部Ｓの上部には、底板１９とシャッターボックス１２の前板２５との間の隙間２６が形成されているだけであるから、上記空間の空気は必ずスラット２１に接触しなければシャッターボックス１２内に移動することはできない。
【００２０】
このように、新鮮な外気は特別の冷却装置がなくてもシャッター１８のスラット２１とシャッターボックス１２ｂに触れて温度が下がってから室内に入り込むので、冷却装置によって冷却する必要がなく、またその必要があっても冷却に要するエネルギーは小さくてもよい。
【００２１】
なお、シャッターボックス１２ｂが上記サッシ枠８とは別体に形成されているので、既設のサッシ枠８にシャッター１８を後付けしたときに、同時に冷気の吸気構造にすることができる。
【００２２】
なお、サッシとシャッターは上述の形態に限定されない。例えば、図３及び図４に示されるように、サッシ上枠５とシャッター上枠１３、サッシ下枠６とシャッター下枠１４及びサッシ縦枠７とシャッター縦枠１５がそれぞれ一体に形成されたシャッターサッシ枠１２Ａの上部にシャッターボックス１２Ｂが一体に形成され、全体がシャッターサッシとして構成されていてもよい。そして、一体のシャッターサッシは、その基部周縁に形成された取付フィン２７を壁部１に止着することにより固定されている。
【００２３】
上記構成によれば、シャッターボックス１２ｂとサッシ枠８とは一体に形成されているから、壁部１に連通口２３を形成し、その室内側に吸気ファン２４を取り付けること以外に特別の工事を必要としない。
【００２４】
また、上記吸気ファン２４を回転させると、障子１０とシャッター１８内の空間部Ｓとシャッターボックス１２ｂ内の空間部にシャッター１８の上下のスラット２１間の隙間やシャッター下枠１４の排水孔２２などから外気が入り込む。そして、放射冷却によって冷えた金属製のスラット２１とシャッターボックス１２Ｂに接触して冷やされてから連通口２３を通って室内に取り込まれる。これにより、冷却装置によって冷却しなくても、自然に外気よりも低温の空気が室内に供給される。
【図面の簡単な説明】
【００２５】
【図１】本発明に係る太陽熱集熱壁装置備えた建物のサッシ部分の縦断面図
【図２】図１の太陽熱集熱壁装置の横断面図
【図３】他の実施形態のサッシ部分の縦断面図
【図４】図３の横断面図
【符号の説明】
【００２６】
１  壁部
８  サッシ枠
１０  障子
１２ｂ  シャッターボックス
１８  シャッター
２３  連通口
２４  吸気ファン
【図１】
2009084924.tif 000003
【図２】
2009084924.tif 000004
【図３】
2009084924.tif 000005
【図４】
2009084924.tif 000006